(57)【要約】    【課題】  位置検出精度が高く、保守の手間が少なく、機器の携帯を意識させず、病室などの閉ざされたエリアをも検出可能な病院内人物位置検出システムを提供する。    【解決手段】病院内において入院患者等の位置を検出するにあたり、院内地図と患者等の位置を表示する表示装置２と、患者等のＩＤを記憶したＲＦＩＤチップ３を内蔵した靴、スリッパ等の履物４と、病院内の病室及びトイレ、通路等の共用部に配置され前記ＲＦＩＤチップに無線で給電し、ＩＤを認識し無線ＬＡＮ設備１０で送出するための床設備６と、床設備で認識されたＩＤを床設備の位置情報とともに送出する位置検出装置制御部９と、位置検出装置制御部により送出されたＩＤを予め登録されている患者等のＩＤと照合し、一致したとき、ＩＤ、ＩＤに対応する患者等の情報および床設備の位置情報を表示装置で表示するためのパーソナルコンピュータ８とを備えている。    【選択図】図１
2005278791.tif 000002
【特許請求の範囲】
【請求項１】
病院内において入院患者等の位置を検出するにあたり、
院内地図と患者等の位置を表示する表示装置（２）と、
前記患者等のＩＤを記憶したＲＦＩＤチップ（３）を内蔵した靴、スリッパ等の履物（４）と、
前記病院内の病室及びトイレ、通路等の共用部に配置され前記ＲＦＩＤチップに無線で給電し、前記ＩＤを認識し無線ＬＡＮ設備（１０）で送出するための床設備（６）と、
前記床設備で認識されたＩＤを前記床設備の位置情報とともに送出する位置検出装置制御部（９）と、
前記位置検出装置制御部により送出された前記ＩＤを予め登録されている患者等のＩＤと照合し、一致したとき、前記ＩＤ、前記ＩＤに対応する前記患者等の情報および前記床設備の位置情報を前記表示装置で表示するためのパーソナルコンピュータ（８）
とを備えたことを特徴とする病院内人物位置検出システム。
【請求項２】
病院内において入院患者等の位置を検出するにあたり、院内地図と患者等の位置を表示する表示装置（２）と、
前記患者等のＩＤを記憶したＲＦＩＤチップ（３）を内蔵した靴、スリッパ等の履物（４）と、
前記病院内の病室及びトイレ、通路等の共用部に配置され前記ＲＦＩＤチップに無線で給電し、前記ＩＤを認識し、床設備位置情報とともに無線ＬＡＮ設備（１０）で送出するための床設備（６）と、
前記床設備で認識されたＩＤを予め登録されている患者等のＩＤと照合し、一致したとき、前記ＩＤ、前記ＩＤに対応する前記患者等の情報および前記床設備の位置情報を前記表示装置で表示するためのパーソナルコンピュータ（８）
とを備えたことを特徴とする病院内人物位置検出システム。
【請求項３】
前記パーソナルコンピュータは前記床設備にて前記履物を少なくとも２箇所連続して認識することによって患者等の進行方向を認識し、患者等の名前、最終通過場所及び通過方向を前記表示装置に表示することを特徴とする請求項１又は請求項２記載の病院内人物位置検出システム。 
【請求項４】
前記ＲＦＩＤチップを、外来患者や訪問者が着用する院内用の履物（４ａ）に内蔵させることにより、前記外来患者や訪問者の位置を検出し、院内誘導及び立入エリア監視を行うことを特徴とする請求項１又は請求項２記載の病院内人物位置検出システム。
【請求項５】
前記ＲＦＩＤチップに無線で給電し前記ＩＤを認識するための床設備を、マット（７）に置き換えることにより、任意の場所に設置場所を移動することを特徴とする請求項１又は請求項２記載の病院内人物位置検出システム。
【請求項６】
前記無線ＬＡＮ設備を有線設備（１１）に置き換えることにより、前記位置検出装置制御部から全ての床設備に給電することを特徴とする請求項１又は請求項２記載の病院内人物位置検出システム。
【請求項７】
前記履物を患者等が履いた状態で、売店、薬局においてレジスタに前記床設備又は前記マットを設置することにより、前記レジスタが前記パーソナルコンピュータからの情報に基づいて患者等を認識し、自動的に課金することを特徴とする請求項１又は請求項２記載の病院内人物位置検出システム。
【請求項８】
前記履物を患者が履いた状態で、診察室、手術室の入り口に前記床設備又は前記マットを設置することにより、診察、手術前に患者を確認し、カルテデータ、医療情報を取り出し、患者取り違えなどの医療過誤を防止することを特徴とする請求項１又は請求項２記載の病院内人物位置検出システム。
【請求項９】
前記履物を看護師が履くことにより、前記看護師の終日の動きを動線化し、前記看護師の動線を解析して看護業務の改善を行うことを特徴とする請求項１又は請求項２記載の病院内人物位置検出システム。
【発明の詳細な説明】
【技術分野】
【０００１】
本発明は、建物内において人物の位置を検出するシステムに係わり、特に病院内での患者や看護師の院内位置を検出するための病院内人物位置検出システムに関する。
【背景技術】
【０００２】
従来、病院内における患者や看護師の位置を検出するための病院内人物位置検出に関しては、無線を使った位置検出方法や、赤外線を使った位置検出システム、カメラを使った位置検出方法がある。
【０００３】
無線を使った病院内人物位置検出方法は、図３に示すように、患者が所持する無線ペンダント２１あるいは腕時計型無線機等の発信機と、各病室や廊下等に設けられた無線基地局２２とで構成される。無線ペンダント２１等の発信機から無線基地局２２に患者のＩＤが送信され、複数の無線基地局２２のうち、最も電界強度の高い位置で検出する方法や、三点の電界強度で大体の位置を特定するものである。
【０００４】
また、無線を使った病院内人物位置検出方法としては、特許文献１に示すナースコールシステムをあげることができる。
【０００５】
赤外線を使った位置検出システムは、病棟内の各領域にその領域を示す位置データを送信する赤外送信機を設置し、患者には赤外送信機から送信される位置データを受信し、その位置データに識別コード、心電図データ及びナースコールデータを付加した患者位置データをＦＭ変調して送信する医用送信機を携帯させ、医師室や看護婦室等には患者が携帯した医用送信機から送信される患者位置データを受信し、その患者位置データに基づいて表示部に心電図波形、心拍数、患者の居場所、患者の名前等を表示すると共に記録部からプリントアウトするモニタを設置したものがある（例えば、特許文献２参照）。
【０００６】
また、カメラを使った病院内人物位置検出方法は、図４に示すように、天井や壁などの要所要所に設置されたカメラ３２、３２、‥を、ナースセンター等に設置されたコンピュータ３１等で画像解析するもので、カメラ３２が撮像した人物の特定や進入禁止エリアの監視などを行っている。
【０００７】
【特許文献１】特開２００２−９９５７号公報
【特許文献２】特開平１０−２４８８１６号公報
【発明の開示】
【発明が解決しようとする課題】
【０００８】
従来の病院内人物位置検出は以上のように行われているので、無線や赤外線を利用したものでは電波の反射で誤った位置を検出する可能性があるという難点があり、二次電池の充電が必要になるという煩雑さがあり、無線ペンダントや腕時計型無線機、あるいは医用送信機をあえて付けなくてはいけないという心理的な圧迫もあった。また、カメラを利用したものでは画像の死角ができたり、カメラのコストが高いといった難点があった。
【０００９】
本発明は、これらの難点を解消するためになされたもので、位置検出精度が高く、保守の手間が少なく、機器の携帯を意識させず、病室などの閉ざされたエリアをも検出可能な病院内人物位置検出システムを提供することを目的としている。
【課題を解決するための手段】
【００１０】
本発明の第１の態様である病院内人物位置検出システムは、病院内において入院患者等の位置を検出するにあたり、院内地図と患者等の位置を表示する表示装置と、患者等のＩＤを記憶したＲＦＩＤチップを内蔵した靴、スリッパ等の履物と、病院内の病室及びトイレ、通路等の共用部に配置されＲＦＩＤチップに無線で給電し、ＩＤを認識し無線ＬＡＮ設備で送出するための床設備と、床設備で認識されたＩＤを床設備の位置情報とともに送出する位置検出装置制御部と、位置検出装置制御部により送出されたＩＤを予め登録されている患者等のＩＤと照合し、一致したとき、ＩＤ、ＩＤに対応する患者等の情報および床設備の位置情報を表示装置で表示するためのパーソナルコンピュータとを備えたものである。
【００１１】
本発明の第２の態様である病院内人物位置検出システムは、病院内において入院患者等の位置を検出するにあたり、院内地図と患者等の位置を表示する表示装置と、患者等のＩＤを記憶したＲＦＩＤチップを内蔵した靴、スリッパ等の履物と、病院内の病室及びトイレ、通路等の共用部に配置されＲＦＩＤチップに無線で給電し、ＩＤを認識し床設備位置情報とともに無線ＬＡＮ設備で送出するための床設備と、床設備で認識されたＩＤを予め登録されている患者等のＩＤと照合し、一致したとき、ＩＤ、ＩＤに対応する患者等の情報および床設備の位置情報を表示装置で表示するためのパーソナルコンピュータとを備えたものである。
【００１２】
本発明の第３の態様は、第１の態様または第２の態様である病院内人物位置検出システムにおいて、パーソナルコンピュータは床設備にて履物を少なくとも２箇所連続して認識することによって患者等の進行方向を認識し、患者等の名前、最終通過場所及び通過方向を表示装置に表示するものである。
【００１３】
本発明の第４の態様は、第１の態様または第２の態様である病院内人物位置検出システムにおいて、ＲＦＩＤチップを、外来患者や訪問者が着用する院内用の履物に内蔵させることにより、外来患者や訪問者の位置を検出し、院内誘導及び立入エリア監視を行うものである。
【００１４】
本発明の第５の態様は、第１の態様または第２の態様である病院内人物位置検出システムにおいて、ＲＦＩＤチップに無線で給電し、ＩＤを認識するための床設備を、マットに置き換えることにより任意の場所に設置場所を移動するものである。
【００１５】
本発明の第６の態様は、第１の態様または第２の態様である病院内人物位置検出システムにおいて、無線ＬＡＮ設備を有線設備に置き換えることにより、位置検出装置制御部から全ての床設備に給電するものである
本発明の第７の態様は、第１の態様または第２の態様である病院内人物位置検出システムにおいて、履物を患者等が履いた状態で、売店、薬局においてレジスタに床設備又は前記マットを設置することにより、レジスタがパーソナルコンピュータからの情報を基づいて患者等を認識し、自動的に課金するものである。
【００１６】
本発明の第８の態様は、第１の態様または第２の態様である病院内人物位置検出システムにおいて、履物を患者が履いた状態で、診察室、手術室の入り口に床設備又はマットを設置することにより、診察、手術前に患者を確認し、カルテデータ、医療情報を取り出し、患者取り違えなどの医療過誤を防止するものである。
【００１７】
本発明の第９の態様は、第１の態様または第２の態様である病院内人物位置検出システムにおいて、履物を看護師が履くことにより、看護師の終日の動きを動線化し、看護師の動線を解析して看護業務の改善を行うものである。
【発明の効果】
【００１８】
本発明の第１の態様から第９の態様である病院内人物位置検出システムによれば、履物にＲＦＩＤチップを搭載し短距離にて通信を行うことと、向かう方向で病室などの閉ざされたエリアをも検出可能とし、床設備間あるいはマット間のエリアを検出することで位置精度を高め、床設備あるいはマットから給電することで電池交換が不要となるので保守の手間が少なく、履物にＲＦＩＤチップを搭載するので機器の携帯を意識させない病院内人物位置検出システムを提供することができる。また、付随的に次のような効果も奏する。
【００１９】
第１に、入院患者以外の外来患者や訪問者の履物にＲＦＩＤチップを搭載して、院内誘導や立入エリア監視を行うことが可能となる。
【００２０】
第２に、床設備をマットに置き換えれば、設置場所の変更が任意に可能となる。
【００２１】
第３に、無線ＬＡＮ設備を有線設備に置き換えることにより、位置検出装置制御部から全ての床設備に給電することができる。
【００２２】
第４に、履物を患者が履いた状態で、診察室、手術室の入り口に床設備又はマットを設置することにより、診察、手術前に患者を確認し、カルテデータ、医療情報を取り出し、患者取り違えなどの医療過誤を防止することができる。
【００２３】
第５に、看護師の履物にＲＦＩＤチップを内蔵させることにより、看護師の終日の動きを動線化し、看護師の動線を解析して看護業務の改善が可能となる。
【発明を実施するための最良の形態】
【００２４】
以下、本発明による病院内人物位置検出システムの好ましい実施例を、図面を参照して詳述する。
【００２５】
図１に示すように、本発明による病院内人物位置検出システム１は、院内地図と患者等の位置を表示する表示装置２と、患者等のＩＤを記憶したＲＦＩＤチップ３を内蔵した靴、スリッパ等の履物４と、病院内の病室及びトイレ、通路等の共用部に配置されＲＦＩＤチップ３に無線で給電し、ＩＤを認識し無線ＬＡＮ設備１０で送出するための床設備６と、床設備６で認識されたＩＤを床設備６の位置情報とともに送出する位置検出装置制御部９と、床設備６で認識されたＩＤを予め登録されている患者等のＩＤと照合し、一致したときそのＩＤおよびＩＤに対応する患者等の氏名、床設備の位置情報等を表示装置２で表示するためのパーソナルコンピュータ８とを備えている。
【００２６】
また、図２に示すように、本発明による病院内人物位置検出システム１は、無線ＬＡＮ設備１０に代えて有線設備１１を備えるように構成することも可能である。
【００２７】
さらに、図２に示すように、本発明による病院内人物位置検出システム１では、床設備６に代えてマット７を備えるように構成することも可能である。
【００２８】
床設備６やマット７と位置検出装置制御部９は、無線ＬＡＮ設備１０や有線設備１１で結ばれ、位置検出装置制御部９はパーソナルコンピュータ８と接続され、また、パーソナルコンピュータ８は表示装置２と接続されている。
【００２９】
履物４の底に内蔵されるＲＦＩＤチップ３は上述のように床設備６から給電されるので、半永久的に使用可能であり、このＲＦＩＤチップ３には、それぞれ固有の番号（患者ＩＤ、看護師ＩＤ他）が付与され、その番号自体はパーソナルコンピュータ８において登録および管理されている。
【００３０】
床設備６およびマット７は無線ＬＡＮ設備１０を有し、ＲＦＩＤチップ３に無線で給電し、ＲＦＩＤチップ３に付与されたＩＤを認識してそのＩＤを、無線ＬＡＮ設備１０で床設備位置情報とともに位置検出装置制御部９に送出する。
【００３１】
床設備６は施設構造として固定的に配設され、マット７は所望の床に移動配設されるもので、同等の機能を有し、床設備６またはマット７が適宜選択される。
【００３２】
床設備６やマット７は、必ず一跨ぎ以上のエリアを確保することで２箇所以上連続的に認識でき、進行方向を位置検出制御部９にて検出し、位置検出装置制御部９に接続されたパーソナルコンピュータ８は、患者等の名前、最終通過場所及び通過方向を表示装置２に表示するものである。
【００３３】
以下に、本発明による病院内人物位置検出システム１の動作を説明する。
【００３４】
上述のように構成される本発明の病院内人物位置検出システム１において、患者が床設備６の上を通ると、履いている履物４に内蔵されるＲＦＩＤチップ３の患者等のＩＤが床設備６によって認識され、位置検出制御部９に無線ＬＡＮ設備１０を通して伝送される。
【００３５】
また、同時にＩＤを取得することで、患者の名前と最終通過場所と通過方向をパーソナルコンピュータ８にて処理し、表示装置２にて表示する。
【００３６】
また、本発明による病院内人物位置検出システム１では、ＲＦＩＤチップ３を外来患者や訪問者が着用する院内用の履物４ａに内蔵させることにより、その履物４ａを着用した外来患者や訪問者の位置を検出し、院内誘導及び立入エリア監視を行うことができる。
【００３７】
さらに、本発明による病院内人物位置検出システム１においては、ＲＦＩＤチップ３に給電しＩＤを認識するための床設備６にかえて、図２に示すような移動可能なマット７を採用することにより、任意の場所に設置場所を移動させることができ、同様の効果を奏するものである。
【００３８】
また、本発明による病院内人物位置検出システム１では、無線ＬＡＮ設備１０にかえて図２に示す有線設備１１を採用することにより、位置検出装置制御部９から全ての床設備に給電するものである。
【００３９】
さらに、本発明による病院内人物位置検出システム１では、売店、薬局においてレジスタ近傍に床設備６又はマット７（図２参照）を設置することにより、履物４を患者等が履いた状態で移動すれば、レジスタがパーソナルコンピュータ８からの情報に基づいて患者等を認識し、自動的に課金することができる。
【００４０】
また、本発明による病院内人物位置検出システム１においては、診察室、手術室の入り口に床設備６又はマット７を設置することにより、履物４を患者が履いた状態で移動すれば、診察、手術前に患者を確認し、カルテデータ、医療情報を取り出し、患者取り違えなどの医療過誤を防止することができる。
【００４１】
本発明による病院内人物位置検出システム１においては、ＲＦＩＤチップ３を内蔵した履物４を看護師が履くことにより、看護師の終日の動きを動線化し、看護師の動線を解析して看護業務の改善資料とすることができる。
【図面の簡単な説明】
【００４２】
【図１】本発明による病院内人物位置検出システムの構成の実施例を示す図である。
【図２】本発明による病院内人物位置検出システムの構成の他の実施例を示す図である。
【図３】従来の病院内患者位置検出システムの構成を示す図である。
【図４】従来の病院内患者位置検出システムの構成を示す図である。
【符号の説明】
【００４３】
１・・・病院内人物位置検出システム
２・・・表示装置
３・・・ＲＦＩＤチップ
４、４ａ・・・履物
６・・・床設備
８・・・パーソナルコンピュータ
９・・・位置検出装置制御部
１０・・・無線ＬＡＮ設備
【図１】
2005278791.tif 000003
【図２】
2005278791.tif 000004
【図３】
2005278791.tif 000005
【図４】
2005278791.tif 000006